(57)【要約】  冷凍サイクル装置は、圧縮機、油分離器、凝縮器、膨張弁、および、蒸発器が順に冷媒配管で接続された冷媒回路と、油分離器内の油面が基準位置より下か否かを検知するフロートスイッチと、基準時間内における、フロートスイッチの検知時間および非検知時間に基づいて、油枯れか否かを判定する制御装置と、を備えたものである。
2018235262.tif 000002
【特許請求の範囲】
【請求項１】
圧縮機、油分離器、凝縮器、膨張弁、および、蒸発器が順に冷媒配管で接続された冷媒回路と、
前記油分離器内の油面が基準位置より下か否かを検知するフロートスイッチと、
基準時間内における、前記フロートスイッチの検知時間および非検知時間に基づいて、油枯れか否かを判定する制御装置と、を備えた
冷凍サイクル装置。
【請求項２】
前記制御装置は、
前記フロートスイッチの検知時間の総和および非検知時間の総和に基づいて、油枯れか否かを判定する
請求項１に記載の冷凍サイクル装置。
【請求項３】
前記制御装置は、
油枯れと判定した場合、前記圧縮機の保護動作を行う
請求項１または２に記載の冷凍サイクル装置。
【請求項４】
前記制御装置は、
前記圧縮機の保護動作として、前記圧縮機の運転を停止させる
請求項３に記載の冷凍サイクル装置。
【請求項５】
前記制御装置は、
前記圧縮機の保護動作として、前記圧縮機の運転周波数を変更する
請求項３に記載の冷凍サイクル装置。
【請求項６】
前記制御装置は、
前記圧縮機の保護動作として、前記油分離器がデミスタ方式である場合は、設定値の分だけ運転周波数をダウンさせる
請求項５に記載の冷凍サイクル装置。
【請求項７】
前記制御装置は、
前記圧縮機の保護動作として、前記油分離器がサイクロン方式である場合は、設定値の分だけ運転周波数をアップさせる
請求項５に記載の冷凍サイクル装置。
【請求項８】
前記制御装置は、
前記圧縮機の保護動作として、油枯れ判定時の運転周波数に応じて、運転周波数を設定値の分だけアップもしくはダウンさせる
請求項５に記載の冷凍サイクル装置。
【請求項９】
前記制御装置は、
前記圧縮機の保護動作として、油枯れ判定時の運転周波数が予め設定された運転周波数よりも高い場合は運転周波数をダウンさせ、油枯れ判定時の運転周波数が予め設定された運転周波数よりも低い場合運転周波数をアップさせる
請求項８に記載の冷凍サイクル装置。
【請求項１０】
機械式容量制御弁を備え、
前記制御装置は、
前記圧縮機の保護動作として、油枯れ判定時に、前記機械式容量制御弁を制御する
請求項３に記載の冷凍サイクル装置。
【請求項１１】
前記制御装置は、
前記圧縮機の保護動作として、油枯れ判定時に前記機械式容量制御弁がアンロードの場合はオンロードし、油枯れ判定時に前記機械式容量制御弁がオンロードの場合はアンロードする
請求項１０に記載の冷凍サイクル装置。
【請求項１２】
前記圧縮機は、インバータ駆動である
請求項１〜９のいずれか一項に記載の冷凍サイクル装置。
【請求項１３】
前記圧縮機は、シングルスクリュー圧縮機である
請求項１〜１２のいずれか一項に記載の冷凍サイクル装置。
【請求項１４】
前記圧縮機は、ツインスクリュー圧縮機である
請求項１〜１２のいずれか一項に記載の冷凍サイクル装置。
【発明の詳細な説明】
【技術分野】
【０００１】
本発明は、冷凍サイクル装置に関し、特に圧縮機の保護に関するものである。
【背景技術】
【０００２】
一般的に、冷凍サイクル装置の圧縮機は、圧縮室の冷媒漏れ抑制、摺動面の焼き付き抑制、軸受潤滑などの観点から、常時、圧縮室近傍に冷凍機油（以下、油と称する）をインジェクションする構造となっている。また、圧縮機の圧縮室から吐出される冷媒ガスには油も含まれるため、冷凍サイクル装置は、その油を回収する機構として、油分離器と呼ばれるものを備えている。【０００３】
油分離器には、金網式のように圧損により油と冷媒とを分離させるデミスタ方式と、遠心力と油の自重を利用したサイクロン方式とが存在している。【０００４】
図７は、従来のデミスタ方式の油分離器の一例を示す縦断面の模式図である。
図７に示すように、従来のデミスタ方式の油分離器では、圧縮された高温・高圧の冷媒・油を吐出前に金網式メッシュ１１などの媒体を通じて、冷媒と油とを分離し、金網式メッシュ１１を通過した冷媒のみが吐出され、油が金網式メッシュ１１から自重で落下し、油溜り部１２に戻される。【０００５】
図８は、従来のサイクロン方式の油分離器の一例を示す縦断面の模式図である。
また、図８に示すように、従来のサイクロン方式の油分離器では、圧縮された高温・高圧の冷媒・油が円周状のサイクロン油分離器蓋２１から鉛直下方に伸びている円筒の外周と、サイクロン油分離器２３の内周を通過することで遠心力によって、サイクロン油分離器２３の内周面に付着する。その付着した油が自重により下へ落下していき、最終的に油溜り部２２に戻すものである。【０００６】
油溜り部１２、２２にて回収した油は、油溜り部１２、２２から差圧により圧縮室の圧縮開始直前、圧縮開始直後、または、吸込配管などの低圧側へ返油される。なお、冷凍サイクル装置の種類によっては、油溜り部１２、２２から返油する際に、油を冷却する機構を備えた、返油冷却方式も存在する。【０００７】
ここで、油分離器は、場合によっては油溜り部１２、２２の油量が過少となり、上記の低圧側への返油が適切に行えない運転、すなわち油枯れ運転に陥ることがある。この油枯れ運転は、圧縮機にとって最も過酷な状態の一つであり、重大な圧縮機故障の要因となり得る。例えば、スクリュー圧縮機を例に挙げると、圧縮室を形成するスクリューロータの外面と、それと対向するケーシングの内面との間の隙間は、μｍ単位の精度で管理されている。【０００８】
ここで、上記のように、返油冷却方式の場合、油枯れ運転に陥ると、圧縮室を油で冷却する効果がなくなり、吐出温度が上昇する。そうなると、スクリューロータが過度に熱膨張し、スクリューロータの外面とケーシングの内面との間の隙間がなくなり、結果としてスクリューロータ焼き付きの不具合が発生する。その不具合の発生を抑制するためには、油分離器内の油量を適切に検知し、対応することが重要である。【０００９】
従来、油分離器の上限レベル検知位置および下限レベル検知位置に、油分離器内の油面の検知機器としてフロートスイッチをそれぞれ設け、油分離器内の油面が下限レベルを下回った場合に周波数を下げて、油分離器内の油面が上限レベルに到達するまで油戻し運転を行い、圧縮機を保護する冷凍サイクル装置が提案されている（例えば、特許文献１参照）。
【先行技術文献】
【特許文献】
【００１０】
【特許文献１】特許第４２５０３２０号公報
【発明の概要】
【発明が解決しようとする課題】
【００１１】
近年では、ＩＰＬＶなどの年間を通じた運転効率が求められるため、インバータ運転が普及しつつある。ここで、運転周波数が例えば７５Ｈｚのように高い場合は、油分離器内の油面が荒れやすい。そのため、特許文献１では、油分離器内の油量が十分であったとしても、油面が荒れ、短時間でも油面が下限レベルを下回れば、油面が上限レベルに到達するまで油戻し運転を開始することとなる。つまり、特許文献１では、油分離器内の油面が荒れた場合、精度よく油面を検知することができず、適切なタイミングで油戻し運転ができないため、圧縮機の故障を招くという課題があった。また、特許文献１では、油面の検知機器としてフロートスイッチを二つ設ける必要があり、コストがかかるという課題があった。【００１２】
本発明は、以上のような課題を解決するためになされたもので、コストを抑えつつ、圧縮機の信頼性を向上させることができる冷凍サイクル装置を提供することを目的としている。
【課題を解決するための手段】
【００１３】
本発明に係る冷凍サイクル装置は、圧縮機、油分離器、凝縮器、膨張弁、および、蒸発器が順に冷媒配管で接続された冷媒回路と、前記油分離器内の油面が基準位置より下か否かを検知するフロートスイッチと、基準時間内における、前記フロートスイッチの検知時間および非検知時間に基づいて、油枯れか否かを判定する制御装置と、を備えたものである。
【発明の効果】
【００１４】
本発明に係る冷凍サイクル装置によれば、フロートスイッチを一つ備え、基準時間内における、フロートスイッチの検知時間および非検知時間に基づいて、油枯れか否かを判定するため、油面が荒れても精度よく油面を検知することができ、コストを抑えつつ、圧縮機の信頼性を向上させることができる。
【図面の簡単な説明】
【００１５】
【図１】本発明の実施の形態１に係る冷凍サイクル装置の構成を示す図である。
【図２】本発明の実施の形態１に係る冷凍サイクル装置の機能ブロック図である。
【図３】本発明の実施の形態１に係るフロートスイッチの油面検知結果を示す図である。
【図４】本発明の実施の形態１に係る冷凍サイクル装置の油枯れ判定処理の制御フローを示す図である。
【図５Ａ】本発明の実施の形態２に係る冷凍サイクル装置の油枯れ判定処理の第一の制御フローを示す図である。
【図５Ｂ】本発明の実施の形態２に係る冷凍サイクル装置の油枯れ判定処理の第二の制御フローを示す図である。
【図６】本発明の実施の形態２に係る冷凍サイクル装置の機能ブロックの一例を示す図である。
【図７】従来のデミスタ方式の油分離器の一例を示す縦断面の模式図である。
【図８】従来のサイクロン方式の油分離器の一例を示す縦断面の模式図である。
【発明を実施するための形態】
【００１６】
以下、本発明の実施の形態について、図面を参照しつつ説明する。ここで、以下の図面において、同一の符号を付したものは、同一またはこれに相当するものであり、以下に記載する実施の形態の全文において共通することとする。また、明細書全文に示されている構成要素の形態は、あくまで例示であってこれらの記載に限定されるものではない。特に構成要素の組み合わせは、各実施の形態における組み合わせのみに限定するものではなく、他の実施の形態に記載した構成要素を別の実施の形態に適宜、適用することができる。
【００１７】
そして、圧力の高低については、特に絶対的な値との関係で高低が定まっているものではなく、システム、装置などにおける状態、動作などにおいて相対的に定まるものとする。また、添字で区別などしている複数の同種の機器などについて、特に区別したり、特定したりする必要がない場合には、添字などを省略して記載する場合がある。
【００１８】
実施の形態１．
図１は、本発明の実施の形態１に係る冷凍サイクル装置１００の構成を示す図である。
本実施の形態１に係る冷凍サイクル装置１００は、圧縮機１０２、油分離器１０３、凝縮器１０４、膨張弁１０５、および、蒸発器１０６が順に冷媒配管で接続され、構成された冷媒回路を備えている。さらに、冷凍サイクル装置１００は、インバータ装置１０１と、制御装置１１０と、を備えている。
【００１９】
圧縮機１０２は、駆動用のモータ３と、圧縮部４とを備えている。油分離器１０３は、油溜め部(図示せず)を備え、油溜め部から圧縮部４へ油を差圧で返油させる機構を持っている。また、油分離器１０３には、油面を検知するＯＮ／ＯＦＦ接点式のフロートスイッチ１０７が設けられている。
【００２０】
ここで、フロートスイッチ１０７は、ＯＮ/ＯＦＦの接点位置が予め定められた位置（以下、基準位置と称する）となるように、油分離器１０３に設けられている。そして、フロートスイッチ１０７は、油分離器１０３内の油面が基準位置より下か否かを検知する。つまり、フロートスイッチ１０７は、油分離器１０３内の油面が基準位置より下に位置している場合にＯＮとなり、油分離器１０３内の油面が基準位置以上に位置している場合にＯＦＦとなる。
【００２１】
なお、基準位置とは、例えば、油分離器１０３内の油を圧縮部４へ返油不可能になる位置、冷媒と油とが入り混じるようなガス噛みする位置、初期チャージ量から所定量がなくなった位置などであり、自由に設定してよい。また、フロートスイッチ１０７を設ける位置には、センサ誤差および設計裕度を見込んでもよい。
【００２２】
なお、図１では、油分離器１０３が圧縮機１０２とは別体となった別置きタイプを示しているが、それに限定されず、圧縮機１０２が油分離器１０３を備えた一体型でもよい。また、圧縮機１０２は、油溜め部から圧縮部４へ返油する際に、油を冷却する機構を備えた、返油冷却方式としてもよい。
【００２３】
また、油分離器１０３の種類はデミスタ方式でもサイクロン方式でもよい。また、圧縮機１０２の種類は問わず、シングルスクリュー圧縮機、ツインスクリュー圧縮機、スクロール圧縮機、または、レシプロ圧縮機でも構わない。さらに、本実施の形態１では、インバータ駆動式の圧縮機１０２を用いているが、それに限定されず、一定速の圧縮機を用いてもよい。
【００２４】
インバータ装置１０１は、指示された周波数に基づいて圧縮機１０２への電力供給を制御して、圧縮機１０２の駆動周波数を制御する。そして、圧縮機１０２は、電力供給源（図示せず）から、インバータ装置１０１を介して供給された電力で駆動する。
【００２５】
凝縮器１０４は、圧縮機１０２が吐出した気体状の冷媒であるガス冷媒を冷却し、凝縮させる。また、減圧装置となる膨張弁１０５は凝縮器１０４から流出した液状の冷媒である液冷媒を減圧させ、膨張させる。蒸発器１０６は、膨張弁１０５を通過した冷媒を蒸発させる。
【００２６】
制御装置１１０は、インバータ装置１０１の周波数、膨張弁１０５の開度などを制御し、各機器に指示を送る。また、制御装置１１０は、フロートスイッチ１０７の接点ＯＮ/ＯＦＦを検知可能であり、演算部１１２において予め設定された判定を行い、冷凍サイクル装置１００を制御させる。制御装置１１０は、例えば、専用のハードウェア、または後述する記憶部１１５に格納されるプログラムを実行するＣＰＵ（Central Processing Unit、中央処理装置、処理装置、演算装置、マイクロプロセッサ、マイクロコンピュータ、プロセッサともいう）で構成される。
【００２７】
図２は、本発明の実施の形態１に係る冷凍サイクル装置１００の機能ブロック図である。
制御装置１１０は、タイマ部１１１と、演算部１１２と、判定部１１３と、駆動部１１４と、記憶部１１５と、を備えている。制御装置１１０は、フロートスイッチ１０７から信号が入力されるようになっている。また、インバータ装置１０１および膨張弁１０５に信号を出力するようになっている。
【００２８】
タイマ部１１１は、時間を計測するものである。演算部１１２は、計測時間およびフロートスイッチ１０７の油面検知結果に基づいて、後述するフロートスイッチ１０７の検知時間であるＯＮ時間の総和Ａ（以下、ＯＮ時間総和Ａと称する）、および、後述するフロートスイッチ１０７の非検知時間であるＯＦＦ時間の総和Ｂ（以下、ＯＦＦ時間総和Ｂと称する）を演算するものである。判定部１１３は、演算部１１２の演算結果に基づき、後述する油枯れか否かの判定を行うものである。駆動部１１４は、判定部１１３の判定結果に基づき、インバータ装置１０１および膨張弁１０５を駆動するものである。記憶部１１５は、後述する閾値Ｃなどを記憶するものである。
【００２９】
図３は、本発明の実施の形態１に係るフロートスイッチ１０７の油面検知結果を示す図であり、図４は、本発明の実施の形態１に係る冷凍サイクル装置１００の油枯れ判定処理の制御フローを示す図である。
以下、本実施の形態１に係る冷凍サイクル装置１００の油枯れ判定処理の制御フローについて、図３および図４を用いて説明する。
【００３０】
油枯れ判定処理開始後、制御装置１１０は、予め設定された基準時間Ｔ(例えば１０sec)内における、フロートスイッチ１０７のＯＮ時間総和ＡおよびＯＦＦ時間総和Ｂをそれぞれ求める（ステップＳ１０１〜Ｓ１０５）。
【００３１】
具体的には、制御装置１１０は、制御インターバルＩ（例えば１sec）毎にフロートスイッチ１０７により、油分離器１０３内の油面が基準位置より下か否かを検知する、つまり、フロートスイッチ１０７がＯＮかＯＦＦかを判定する（ステップＳ１０２）。そして、制御装置１１０は、フロートスイッチ１０７がＯＮであると判定した場合（ステップＳ１０２のＹＥＳ）、ＯＮ時間総和Ａに制御インターバルＩを加算する（ステップＳ１０３）。
【００３２】
一方、制御装置１１０は、フロートスイッチ１０７がＯＦＦであると判定した場合（ステップＳ１０２のＮＯ）、ＯＦＦ時間総和Ｂに制御インターバルＩを加算する（ステップＳ１０４）。その後、制御装置１１０は、ステップＳ１０１に戻り、計測時間ｔに制御インターバルＩを加算し、上記と同様の加算処理を行う。そして、制御装置１１０は、この加算処理を、計測時間ｔ＝基準時間Ｔとなるまで繰り返す。
【００３３】
ここで、油分離器１０３内の油面が荒れている場合、フロートスイッチ１０７はチャタリングし、検知と非検知つまりＯＮとＯＦＦを繰り返す。そのため、油分離器１０３内の油面が荒れている場合のフロートスイッチ１０７の油面検知結果は、基準時間Ｔ内において、図３に示すようになる。
【００３４】
ステップＳ１０１〜Ｓ１０５の後、制御装置１１０は、ＯＮ時間総和Ａ(図３では７sec)からＯＦＦ時間総和Ｂ(図３では３sec)を除した値が予め設定された閾値Ｃ未満か否かを判定する（ステップＳ１０６）。ここで、制御装置１１０は、ＯＮ時間総和Ａ／ＯＦＦ時間総和Ｂ＜閾値Ｃの式を満たすか否かにより、油枯れか否かを判定する。
【００３５】
制御装置１１０は、ＯＮ時間総和Ａ／ＯＦＦ時間総和Ｂが閾値Ｃ以上であると判定した場合、つまり、油枯れであり必要油量を確保していないと判定した場合（ステップＳ１０６のＮＯ）、圧縮機１０２の保護動作として、圧縮機１０２の運転を停止させる（ステップＳ１０７）。
【００３６】
一方、制御装置１１０は、ＯＮ時間総和Ａ／ＯＦＦ時間総和Ｂが閾値Ｃ未満であると判定した場合、つまり、油枯れではなく必要油量を確保していると判定した場合（ステップＳ１０６のＹＥＳ）、計測時間ｔ、ＯＮ時間総和Ａ、ＯＮ時間総和Ｂをリセットした後（ステップＳ１０６）、圧縮機１０２の運転を継続させる（ステップＳ１０８）。
【００３７】
ここで、閾値Ｃは運転モードに応じて予め設定されるが、０．２〜１．５の範囲で設定するとよい(ただし、上記範囲に限定するものではない)。また、上記閾値Ｃは常に同じ値である必要もない。例えば、所定の運転周波数を境界に閾値Ｃを変更してもよい。例えばデミスタ方式の油分離器１０３は、６５Ｈｚ以上の高運転周波数において油分離器１０３内の油面が荒れやすいので、裕度をみて閾値Ｃを大きな値（１．２など）に設定するが、６５Ｈｚ未満では油分離器１０３内の油面が荒れにくいので、閾値Ｃを小さな値(０．４など)に設定してもよい。また、油枯れか否かの判定方法として、ＯＮ時間総和Ａ／(ＯＮ時間総和Ａ＋ＯＦＦ時間総和Ｂ)が、閾値Ｃ未満か否かで判定してもよい。
【００３８】
以上、本実施の形態１に係る冷凍サイクル装置１００は、圧縮機１０２、油分離器１０３、凝縮器１０４、膨張弁１０５、および、蒸発器１０６が順に冷媒配管で接続された冷媒回路と、油分離器１０３内の油面が基準位置よりも下か否かを検知するフロートスイッチ１０７と、基準時間内における、フロートスイッチ１０７の検知時間の総和および非検知時間の総和に基づいて、油枯れか否かを判定する制御装置１１０と、を備えたものである。
【００３９】
本実施の形態１に係る冷凍サイクル装置１００によれば、フロートスイッチ１０７を一つ備え、基準時間内における、フロートスイッチ１０７の検知時間の総和および非検知時間の総和に基づいて、油枯れか否かを判定するため、油面が荒れても精度よく油面を検知することができ、コストを抑えつつ、圧縮機１０２の信頼性を向上させることができる。
【００４０】
また、本実施の形態１に係る冷凍サイクル装置１００の制御装置１１０は、油枯れと判定した場合、圧縮機１０２の保護動作として、圧縮機１０２の運転を停止させるものである。
【００４１】
本実施の形態１に係る冷凍サイクル装置１００によれば、油枯れと判定した場合、圧縮機１０２の保護動作として、圧縮機１０２の運転を停止させるため、圧縮機１０２を適切に保護することができる。
【００４２】
実施の形態２．
本実施の形態２に係る冷凍サイクル装置１００は、実施の形態１とは油枯れ判定処理の制御フローのみ異なる。なお、本実施の形態２では、実施の形態１と異なる箇所のみを説明するものとし、実施の形態１で説明されていない箇所については、実施の形態１と同様である。
【００４３】
図５Ａは、本発明の実施の形態２に係る冷凍サイクル装置１００の油枯れ判定処理の第一の制御フローを示す図であり、図５Ｂは、本発明の実施の形態２に係る冷凍サイクル装置１００の油枯れ判定処理の第二の制御フローを示す図である。なお、図５Ａは、油分離器１０３の種類がデミスタ方式である場合の制御フローを示しており、図５Ｂは、油分離器１０３の種類がサイクロン方式である場合の制御フローを示している。
以下、本実施の形態２に係る冷凍サイクル装置１００の油枯れ判定処理の制御フローについて、図５Ａおよび図５Ｂを用いて説明する。
【００４４】
油枯れ判定処理開始後、制御装置１１０は、予め設定された基準時間Ｔ(例えば１０sec)内における、フロートスイッチ１０７のＯＮ時間総和ＡおよびＯＦＦ時間総和Ｂをそれぞれ求める（ステップＳ２０１〜Ｓ２０５）。
【００４５】
具体的には、制御装置１１０は、制御インターバルＩ（例えば１sec）毎にフロートスイッチ１０７により、油分離器１０３内の油面が基準位置より下か否かを検知する、つまり、フロートスイッチ１０７がＯＮかＯＦＦかを判定する（ステップＳ２０２）。そして、制御装置１１０は、フロートスイッチ１０７がＯＮであると判定した場合（ステップＳ２０２のＹＥＳ）、ＯＮ時間総和Ａに制御インターバルＩを加算する（ステップＳ２０３）。
【００４６】
一方、制御装置１１０は、フロートスイッチ１０７がＯＦＦであると判定した場合（ステップＳ２０２のＮＯ）、ＯＦＦ時間総和Ｂに制御インターバルＩを加算する（ステップＳ２０４）。その後、制御装置１１０は、ステップＳ２０１に戻り、計測時間ｔに制御インターバルＩを加算し、上記と同様の加算処理を行う。そして、制御装置１１０は、この加算処理を、計測時間ｔ＝基準時間Ｔとなるまで繰り返す。
【００４７】
ステップＳ２０１〜Ｓ２０５の後、制御装置１１０は、ＯＮ時間総和ＡからＯＦＦ時間総和Ｂを除した値が予め設定された閾値Ｃ未満か否かを判定する（ステップＳ２０６）。ここで、制御装置１１０は、ＯＮ時間総和Ａ／ＯＦＦ時間総和Ｂ＜閾値Ｃの式を満たすか否かにより、油枯れか否かを判定する。
【００４８】
制御装置１１０は、ＯＮ時間総和Ａ／ＯＦＦ時間総和Ｂが閾値Ｃ未満であると判定した場合、つまり、油枯れではなく必要油量を確保していると判定した場合（ステップＳ２０６のＹＥＳ）、ステップＳ２１０に進む。
【００４９】
一方、制御装置１１０は、ＯＮ時間総和Ａ／ＯＦＦ時間総和Ｂが閾値Ｃ以上であると判定した場合、つまり、油枯れであり必要油量を確保していないと判定した場合（ステップＳ２０６のＮＯ）、油分離器１０３の種類によって、異なる処理を行う。
【００５０】
制御装置１１０は、油分離器１０３の種類がデミスタ方式である場合、図５Ａに示すように、圧縮機１０２の運転周波数Ｆを、予め設定された設定値Ｅ分だけダウンさせ（ステップＳ２０７Ａ）、ステップＳ２０８に進む。デミスタ方式の油分離器１０３は、高運転周波数の領域において吸込側から戻る油よりも吐出される油が多くなりやすく、油枯れを誘発させやすい。そのため、圧縮機１０２の運転周波数Ｆをダウンさせることで、吐出される油量を減少させて、油枯れを解消させる。
【００５１】
一方、油分離器１０３の種類がサイクロン方式である場合、図５Ｂに示すように、圧縮機１０２の運転周波数Ｆを、予め設定された設定値Ｇ分だけアップさせ（ステップＳ２０７Ｂ）、ステップＳ２０８に進む。サイクロン方式の油分離器１０３は、遠心力と油の自重とにより油と冷媒とを分離させるため、運転周波数が低い領域において、遠心分離の効果が低下し、吐出される冷媒に含まれる油が多くなり、その結果、圧縮機１０２内の油が不足してしまう。さらに、運転周波数が低く、冷媒の循環量も小さくなるため、吸込側から戻る油も少なくなる。これら二つの事象が重なることにより、油枯れが発生する。そのため、圧縮機１０２の運転周波数Ｆをアップさせることで、吐出される油量を増加させて、油枯れを解消させる。
【００５２】
その後、ステップＳ２０８において、制御装置１１０は、計測時間ｔ、ＯＮ時間総和Ａ、ＯＮ時間総和Ｂをリセットした後、圧縮機１０２の運転を継続させる（ステップＳ２０１）。
【００５３】
以上、本実施の形態２に係る冷凍サイクル装置１００の制御装置１１０は、圧縮機１０２の保護動作として、圧縮機１０２の運転周波数を変更するものである。
【００５４】
本実施の形態２に係る冷凍サイクル装置１００によれば、圧縮機１０２の保護動作として、圧縮機１０２の運転を停止させることなく、圧縮機１０２の運転周波数を変更するため、圧縮機１０２の連続的な運転が可能となり、省エネルギー化を図ることができる。
【００５５】
また、本実施の形態２に係る冷凍サイクル装置１００の制御装置１１０は、圧縮機１０２の保護動作として、油分離器１０３の種類がデミスタ方式である場合は、設定値の分だけ運転周波数をダウンさせ、油分離器１０３の種類がサイクロン方式である場合は、設定値の分だけ運転周波数をアップさせるものである。
【００５６】
また、油枯れしにくい周波数帯がある場合は、油枯れ判定時の周波数に応じて冷凍サイクル装置１００の制御方法を変えてもよい。例えば、周波数５０Ｈｚが油枯れしにくい運転状態であると仮定した場合において、制御装置１１０は、５０Ｈｚ以上の運転において油枯れ判定した場合、圧縮機１０２の運転周波数Ｆをダウンさせる制御を行い、５０Ｈｚ未満の運転において油枯れ判定した場合、圧縮機１０２の運転周波数Ｆをアップさせる制御を行ってもよい。
【００５７】
図６は、本発明の実施の形態２に係る冷凍サイクル装置１００の機能ブロックの一例を示す図である。
上記にて圧縮機１０２の運転周波数Ｆの制御により冷凍サイクル装置１００の油枯れを抑制するものを示した。それ以外にも、一定速圧縮機の場合は図６に示す機械式容量制御弁１２０によるオンロードおよびアンロードにより冷凍サイクル装置１００の油枯れを制御する方法もある。具体的には、制御装置１１０は、機械式容量制御弁１２０がオンロード時に油枯れと判定した場合は、吐出される油が吸込側から戻る油よりも多いと判定し、機械式容量制御弁１２０をアンロードし、吐出される油量を減少させる。一方、制御装置１１０は、機械式容量制御弁１２０がアンロード時に油枯れと判定した場合は、吐出される油よりも吸込側から戻る油が少ないと判定し、機械式容量制御弁１２０をオンロードし、吸込側から戻る油量を増加させる。
【符号の説明】
【００５８】
３  モータ、４  圧縮部、１１  金網式メッシュ、１２  油溜り部、２１  サイクロン油分離器蓋、２２  油溜り部、２３  サイクロン油分離器、１００  冷凍サイクル装置、１０１  インバータ装置、１０２  圧縮機、１０３  油分離器、１０４  凝縮器、１０５  膨張弁、１０６  蒸発器、１０７  フロートスイッチ、１１０  制御装置、１１１  タイマ部、１１２  演算部、１１３  判定部、１１４  駆動部、１１５  記憶部、１２０  機械式容量制御弁。
【図１】
2018235262.tif 000003
【図２】
2018235262.tif 000004
【図３】
2018235262.tif 000005
【図４】
2018235262.tif 000006
【図５Ａ】
2018235262.tif 000007
【図５Ｂ】
2018235262.tif 000008
【図６】
2018235262.tif 000009
【図７】
2018235262.tif 000010
【図８】
2018235262.tif 000011
【国際調査報告】
2018235262.tif 000012
2018235262.tif 000013
2018235262.tif 000014
2018235262.tif 000015